(57)【要約】【課題】  本発明は、シート処理手段によって生産性が変わらないシート処理装置を提供する。【解決手段】  シート２を搬送する搬送ローラ211と、搬送ローラ211により搬送されたシート２の斜行を補正するアクティブローラ251ａ，251ｂと、搬送ローラ211により搬送されたシート２の横レジを補正する横レジ斜行補正ユニット250と、搬送ローラ211により搬送されたシート２に所定の加工処理を行なうシート処理手段と、を備えたシート処理装置であって、複数種類のシート処理手段が交換可能に構成され、該シート処理手段の種類に対応して横レジ斜行補正ユニット250の動作を変更するパンチャ制御部638とを有する。【選択図】      図１４
2015124013.tif 000002
【特許請求の範囲】
【請求項１】
シートを搬送するシート搬送手段と、
前記シート搬送手段により搬送されたシートの斜行を補正するシート斜行補正手段と、
前記シート搬送手段により搬送されたシートの横レジを補正するシート横レジ補正手段と、
前記シート搬送手段により搬送されたシートに所定の加工処理を行なうシート処理手段と、
を備えたシート処理装置であって、
複数種類の前記シート処理手段が交換可能に構成され、
前記シート処理手段の種類に対応して前記シート横レジ補正手段の動作を変更する制御手段と、
を有することを特徴とするシート処理装置。
【請求項２】
前記制御手段は、前記シート処理手段の種類に対応して前記シート横レジ補正手段を作動させるか否かを制御することを特徴とする請求項１に記載のシート処理装置。
【請求項３】
前記シート処理手段は、
シートに穿孔する穿孔手段と、
シートに筋付けを行なう筋付け手段と、
が交換可能に構成されたことを特徴とする請求項１または請求項２に記載のシート処理装置。
【請求項４】
前記制御手段は、
前記シート処理手段が前記穿孔手段の場合は前記シート横レジ補正手段を作動させ、
前記シート処理手段が前記筋付け手段の場合は前記シート横レジ補正手段を作動させないことを特徴とする請求項３に記載のシート処理装置。
【請求項５】
前記制御手段は、
前記シート処理手段が前記穿孔手段の場合の穿孔速度よりも、前記シート処理手段が前記筋付け手段の場合の筋付け速度を遅く設定したことを特徴とする請求項３に記載のシート処理装置。
【請求項６】
前記制御手段は、
前記シート処理手段が前記穿孔手段の場合の前記シート横レジ補正手段の移動速度よりも、前記シート処理手段が前記筋付け手段の場合の前記シート横レジ補正手段の移動速度を速く設定したことを特徴とする請求項３に記載のシート処理装置。
【請求項７】
前記シート処理手段は、
シートに穿孔する穿孔手段と、
シートに筋付けを行なう筋付け手段と、
シートにミシン目付けをするミシン目付け手段と、
シートを断裁する断裁手段と、
シートに刻印をする刻印手段と、
のうちの少なくとも二つが交換可能に構成されたことを特徴とする請求項１または請求項２に記載のシート処理装置。
【請求項８】
前記制御手段は、
前記シート処理手段が前記穿孔手段または前記刻印手段の場合は前記シート横レジ補正手段を作動させ、
前記シート処理手段が前記穿孔手段及び前記刻印手段以外の場合は前記シート横レジ補正手段を作動させないことを特徴とする請求項７に記載のシート処理装置。
【請求項９】
前記制御手段は、
前記シート処理手段が前記穿孔手段または前記刻印手段の場合の穿孔速度または刻印速度よりも、前記シート処理手段が前記穿孔手段及び前記刻印手段以外の場合の処理速度を遅く設定したことを特徴とする請求項７に記載のシート処理装置。
【請求項１０】
前記制御手段は、
前記シート処理手段が前記穿孔手段または前記刻印手段の場合の前記シート横レジ補正手段の移動速度よりも、前記シート処理手段が前記穿孔手段及び前記刻印手段以外の場合の前記シート横レジ補正手段の移動速度を速く設定したことを特徴とする請求項７に記載のシート処理装置。
【請求項１１】
装着される前記シート処理手段を駆動する共通の駆動手段を有することを特徴とする請求項１〜１０のいずれか１項に記載のシート処理装置。
【請求項１２】
請求項１〜１１のいずれか１項に記載のシート処理装置と、
シートに画像を形成する画像形成手段と、
を有することを特徴とする画像形成装置。
【発明の詳細な説明】
【技術分野】
【０００１】
本発明は、シートを処理するシート処理装置及びこれを備えた画像形成装置に関するものである。
【背景技術】
【０００２】
特許文献１のシート処理装置は、シートの先端を突き当てさせてスキュー補正や先端揃えを行う姿勢矯正手段と、シートへの穿孔処理を行うパンチを備えた穿孔手段を有する。更に、穿孔手段による穿孔処理前に姿勢強制手段により姿勢を矯正されたシートに対する穿孔手段のパンチの位置をシートの移動方向と直角な方向で調整可能な横レジスト調整手段を有する。
【０００３】
穿孔手段は、横レジスト調整手段の駆動源を備えた不動の支持部に対して挿脱可能であり、装着された際に穿孔手段の種別認識が行える構成を備えているシート処理装置が提案されている。これにより、パンチ穴や穿孔個数等の穿孔条件に対応して容易に交換が行え、交換に際しての条件設定や位置決めを自動的に認識することができるシート処理装置となっている。
【先行技術文献】
【特許文献】
【０００４】
【特許文献１】特開２００７−６２８７２号公報
【発明の概要】
【発明が解決しようとする課題】
【０００５】
一方、穿孔手段を交換可能なシート処理装置では穿孔手段の代わりに筋付け手段に交換して筋付けを可能とする、或いは、ミシン目付け手段に交換してミシン目付けを可能にするといった使われ方も要望されている。
【０００６】
しかしながら、シートに均等に筋付けするには凸と凹の型をシート幅方向で均等に力を加える必要があるため、時間差をつけて穿孔することで処理にかかる力を小さくできる穿孔に比べて大きな処理力が必要である。
【０００７】
このため、駆動源であるモータの回転速度を落としてトルクを大きくする必要があるため処理時間が長くなる。これにより生産性が低下する。ミシン目付け手段に関してもシート幅方向全域に処理を施すため同様の問題があった。
【０００８】
本発明は前記課題を解決するものであり、その目的とするところは、シート処理手段によって生産性が変わらないシート処理装置を提供するものである。
【課題を解決するための手段】
【０００９】
前記目的を達成するための本発明に係るシート処理装置の代表的な構成は、シートを搬送するシート搬送手段と、前記シート搬送手段により搬送されたシートの斜行を補正するシート斜行補正手段と、前記シート搬送手段により搬送されたシートの横レジを補正するシート横レジ補正手段と、前記シート搬送手段により搬送されたシートに所定の加工処理を行なうシート処理手段と、を備えたシート処理装置であって、複数種類の前記シート処理手段が交換可能に構成され、前記シート処理手段の種類に対応して前記シート横レジ補正手段の動作を変更する制御手段と、を有することを特徴とする。
【発明の効果】
【００１０】
上記構成によれば、必要のないシート横レジ補正動作を省くことで処理時間を短縮し、生産性を向上できるシート処理装置を提供できる。
【図面の簡単な説明】
【００１１】
【図１】本発明に係るシート処理装置を備えた画像形成装置の構成を示す断面説明図である。
【図２】本発明に係るシート処理装置を備えた画像形成装置の制御系の構成を説明するブロック図である。
【図３】本発明に係るシート処理装置のパンチャの構成を示す断面説明図である。
【図４】パンチャの制御系の構成を示すブロック図である。
【図５】本発明に係るシート処理装置の穿孔ユニットの構成を示す断面説明図である。
【図６】穿孔ユニットによりシートに穿孔する様子を示す断面説明図である。
【図７】本発明に係るシート処理装置の筋付けユニットの構成を示す断面説明図である。
【図８】筋付けユニットを正面側から見た断面説明図である。
【図９】筋付けユニットによりシートに筋付けを行なう様子を示す断面説明図である。
【図１０】筋付けユニットにより筋付けされたシートを示す断面説明図である。
【図１１】本発明に係るシート処理装置のシート横レジ補正手段をシート搬送方向下流から見た図である。
【図１２】本発明に係るシート処理装置の動作を説明するフローチャートである。
【図１３】本発明に係るシート処理装置の動作を説明するフローチャートである。
【図１４】本発明に係るシート処理装置の動作を説明するフローチャートである。
【図１５】本発明に係るシート処理装置の動作を説明するフローチャートである。
【図１６】本発明に係るシート処理装置のミシン目付けユニットの構成を示す断面説明図である。
【図１７】本発明に係るシート処理装置の断裁ユニットの構成を示す断面説明図である。
【図１８】本発明に係るシート処理装置の刻印ユニットの構成を示す断面説明図である。
【発明を実施するための形態】
【００１２】
図により本発明に係る  の一例として  の一実施形態を具体的に説明する。
【００１３】
＜画像形成装置＞
図１は本発明に係るシート処理装置を備えた画像形成装置の構成を示す断面説明図である。図１に示すように、画像形成装置１は、白黒、或いはカラー画像形成を行う画像形成装置本体600と、これに接続したパンチャ200、フィニッシャ100を有している。
【００１４】
このため、画像形成装置本体600から排出されるシート２は、オンラインに接続されたパンチャ200、フィニッシャ100で処理することができる。尚、画像形成装置本体600は、フィニッシャ100を排出口９に接続しないで、単独でも使用できる。
【００１５】
また、画像形成装置本体600は、パンチャ200、フィニッシャ100をシート排出装置として一体に組み込んでも良い。ここで、ユーザが画像形成装置本体600に対して各種入力や設定を行うために操作部601に臨む位置を画像形成装置１の正面手前側（以下、「手前側」という）といい、装置背面側を奥側という。
【００１６】
図１は、装置手前側から見た画像形成装置１の構成を示したものである。パンチャ200、フィニッシャ100は画像形成装置本体600の側部に接続される。
【００１７】
画像形成装置本体600内のシートカセット909ａ，909ｂから供給されたシート２は、像担持体となる感光ドラム914ａ〜914ｄ等によってイエロー、マゼンタ、シアン、ブラックの４色のトナー画像が転写される。感光ドラム914ａ〜914ｄはそれぞれシート２にトナー画像を形成する画像形成手段となる画像形成部を構成する。
【００１８】
そして、定着装置904に搬送されてトナー画像が定着され、片面の画像形成モードであれば、そのまま、排出ローラ907から画像形成装置本体600の外に排出される。
【００１９】
両面の画像形成モードであれば、シート２は定着装置904から反転ローラ905に受け渡される。そして、シート２の搬送方向の後端が反転フラッパ３を超えると反転ローラ905を逆回転させる。これによりシート搬送方向とは逆方向となる両面搬送ローラ906ａ〜906ｆの方向へシート２を搬送する。
【００２０】
そして、再度、シート２の裏面側にイエロー、マゼンタ、シアン、ブラックの感光ドラム914ａ〜914ｄ等によって、４色のトナー画像が転写される。両面にトナー画像が転写されたシート２は再度、定着装置904に搬送されてトナー画像が定着された後、排出ローラ907により画像形成装置本体600の外に排出される。
【００２１】
＜制御部＞
図２は画像形成装置１を制御する制御部４の構成を示すブロック図である。図２において、ＣＰＵ（Central Processing Unit；中央演算装置）回路部630は以下を有する。ＣＰＵ629、ＲＯＭ（Read Only Memory；リードオンリメモリ）631、ＲＡＭ（Randam AccessMemory；ランダムアクセスメモリ）655を有している。
【００２２】
ＣＰＵ回路部630は、原稿給送装置制御部632、イメージリーダ制御部633、画像信号制御部634、プリンタ制御部635、フィニッシャ制御部636、制御手段となるパンチャ制御部638、外部インターフェイス637を制御している。
【００２３】
ＣＰＵ回路部630は、ＲＯＭ631に格納されているプログラム及び操作部601の設定に従って制御する。原稿給送装置制御部632は、原稿給送装置650を制御する。イメージリーダ制御部633は、イメージリーダ５を制御する。
【００２４】
プリンタ制御部635は、画像形成装置本体600を制御する。パンチャ制御部638は、図３に示すシート搬送手段となる搬送ローラ211により搬送されたシート２に所定の加工処理を行なうシート処理手段となるパンチャ200を制御する。
【００２５】
フィニッシャ制御部636は、フィニッシャ100を制御する。本実施形態において、パンチャ制御部638はパンチャ200に搭載し、フィニッシャ制御部636はフィニッシャ100に搭載した構成について説明する。
【００２６】
本発明はこれに限定されるものではなく、パンチャ制御部638やフィニッシャ制御部636はＣＰＵ回路部630と一体的に画像形成装置本体600に設け、画像形成装置本体600側からパンチャ200、フィニッシャ100を制御するようにしても良い。
【００２７】
ＲＡＭ655は、制御データを一時的に保持する領域や、制御に伴う演算の作業領域として用いられる。外部インターフェイス637は、パーソナルコンピュータ（ＰＣ）620からのインターフェイスであり、プリントデータを画像に展開して画像信号制御部634へ出力する。
【００２８】
イメージリーダ制御部633から画像信号制御部634へはイメージセンサ５ａで読み取られた画像が出力される。そして、画像信号制御部634からプリンタ制御部635へ出力された画像は像露光手段となるレーザスキャナ10を制御する図示しない露光制御部へ入力される。
【００２９】
パンチャ制御部638は、パンチャ200に搭載され、画像形成装置１のＣＰＵ回路部630と情報のやり取りを行うことによってパンチャ200全体の駆動制御を行う。フィニッシャ制御部636は、フィニッシャ100に搭載され、画像形成装置１のＣＰＵ回路部630と情報のやり取りを行うことによってフィニッシャ100全体の駆動制御を行う。パンチャ制御部638及びフィニッシャ制御部636は、画像形成装置１に設けられる様々なモータ及びセンサ等を制御している。
【００３０】
＜パンチャ＞
図３はパンチャ200の断面図である。パンチャ200は画像形成装置本体600の排出口９から排出されたシート２を順に取り込む。そして、取り込んだシート２に穴開けを行う穿孔処理を行なう。或いは、シート２に筋付けを行う筋付け処理を行うパンチパス６を有する。
【００３１】
パンチャ200でのシート処理は、画像形成装置本体600に設けられた操作部601によるユーザの設定に応じて動作する。画像形成装置本体600の排出口９から排出されたシート２は、パンチャ200の搬送ローラ202に受け渡される。このとき、入口センサ201によりシート２の受渡しタイミングも同時に検知されている。
【００３２】
シート２は搬送ローラ208〜211により加工処理部８に搬送される。そして、図３及び図５に示す穿孔ユニット220の搬送パス232を通過する。そして、図11に示すアクティブローラ251ａ，251ｂ及び従動ローラ252ａ，252ｂからなる搬送ローラにより挟持搬送されたシート２の横レジを補正するシート横レジ補正手段となる横レジ斜行補正ユニット250によりシート２の姿勢が補正される。
【００３３】
そして、シート搬送方向の所定位置にシート２を停止させた後、シート処理手段であってシート２に穿孔する穿孔手段となる穿孔ユニット220を駆動する駆動手段となる押圧駆動ユニット280で穿孔ユニット220を動作させてシート２に穴を開ける。
【００３４】
穿孔ユニット220により穴が開けられたシート２は再び搬送ローラ211により挟持搬送され、搬送ローラ214〜216及び搬送ローラ206により搬送されて下流のフィニッシャ100に受け渡される。
【００３５】
穿孔ユニット220は穴数、穴形状によって複数種類のシート処理手段としての穿孔ユニット220が準備されており、適宜交換可能に搭載される。穿孔ユニット220に搭載された記憶手段となるＩＣ（Integrated Circuit；半導体集積回路）チップ221の記憶部に記憶された種別情報をユニット識別センサ222で読み取る。
【００３６】
これにより、どの種類の穿孔ユニット220を加工処理部８に搭載しているかを識別する。或いは、詳しくは後述するシート２に筋付けを行なう筋付け手段となる筋付けユニット300を加工処理部８に搭載しているかを識別する。或いは、シート２にミシン目付けを行なうミシン目付けユニット400を加工処理部８に搭載しているかを識別する。或いは、シート２を断裁する断裁ユニット500を加工処理部８に搭載しているかを識別する。或いは、シート２に刻印する刻印ユニット800を加工処理部８に搭載しているかを識別することができる。各加工処理ユニットの構成については後述する。
【００３７】
図４に示すように、パンチャ制御部638は、マイクロコンピュータからなるＣＰＵ（Central Processing Unit；中央演算装置）701を有する。更に、ＲＡＭ（Randon Access Memory；ランダムアクセスメモリ）702、ＲＯＭ（Read Only Memory；リードオンリメモリ）703を有する。更に、入出力部となるＩ／Ｏ（Input/Output）705、通信インターフェイス706、ネットワークインターフェイス704を有している。
【００３８】
搬送制御部707において、シート２の搬送処理が行われる。また、穿孔駆動制御部708では、カム282がカム駆動モータＭ１によって回転駆動制御される。穿孔ユニット識別部709では、穿孔ユニット220に組み込まれた記憶手段となるＩＣチップ221の記憶部に記憶された種別情報を読み取ることにより、搭載されている穿孔ユニット220の種別を識別する。
【００３９】
尚、穿孔ユニット識別部709はユニット識別センサ222からの信号に基づいて穿孔ユニット220だけでなく筋付けユニット300等の他の加工ユニットの識別も行なう。
【００４０】
横レジ斜行補正制御部710では、図11に示すシフト部267がホームポジション検知センサ269とシフト駆動モータＭ４とによって制御され、アクティブローラ251がアクティブローラ駆動モータＭ２，Ｍ３によって制御される。Ｉ／Ｏ705の入力ポートには、各種センサ信号が入力される。Ｉ／Ｏ705の出力ポートには、図示しない制御ブロックや、図示しない各種ドライバを介して接続された各駆動系に接続されている。
【００４１】
＜穿孔ユニット＞
図５は穿孔ユニット220をシート搬送方向下流から見たときの断面図である。可動プレート223にパンチ刃224ａ〜224ｃが取り付けられている。ダイプレート225にはダイ穴226ａ〜226ｃが開けられている。シート２が穿孔ユニット220の搬送ガイド227により形成された搬送パス232を通過する際に可動プレート223に固定されたパンチ刃224ａ〜224ｃが図５の上方から下方向に移動する。そして、ダイ穴226ａ〜226ｃに係合する際にパンチ刃224ａ〜224ｃによりシート２に穴を開ける。
【００４２】
ダイプレート225と搬送ガイド227とはスペーサ231ａ，231ｂを介して搬送パス232を形成する位置関係となっている。また、搬送ガイド227はパンチ刃224ａ〜224ｃをそれぞれに対向するダイ穴226ａ〜226ｃに導くガイドの役目も果たしている。
【００４３】
可動プレート223はシャフトガイド228ａ，228ｂに支えられている。図３のカム282により図６に示すように可動プレート223を押し下げる。これによりパンチ刃224ａ〜224ｃがダイ穴226ａ〜226ｃに係合して搬送パス232内にあるシート２に穴を開けることができる。
【００４４】
リリースバネ230ａ，230ｂは押し下げられた可動プレート223を押し上げるバネであり、可動プレート223の上死点はストッパ229ａ，229ｂに当接した位置となっている。パンチ刃224ａ〜224ｃは可動プレート223の取り付け面からの長さが少しずつ異なり、順番にダイ穴226ａ〜226ｃに係合するようになっている。これによりシート２に穿孔するときの負荷を小さくしている。
【００４５】
図５はシート２に三つの穴を開けるための三穴の穿孔ユニット220の一例である。他に、二穴、四穴、或いは、それ以上の数の穴を有する種々の穿孔ユニット220が適用出来る。穿孔ユニット220の種類を識別するために記憶手段となるＩＣチップ221の記憶部に種別情報が書き込まれて記憶されている。パンチャ200のユニット識別センサ222により穿孔ユニット220の種別情報を読み取り、どの種類の穿孔ユニット220が加工処理部８に搭載されているか識別できる。
【００４６】
＜筋付けユニット＞
図７は筋付けユニット300をシート搬送方向下流から見たときの断面図である。図８は筋付けユニット300を装置正面から見たときの図である。ダイプレート305は筋付け溝306を有している。シャフトガイド307ａ，307ｂがダイプレート305に立設されており、可動プレート301及びブレードプレート303をシャフトガイド307ａ，307ｂに沿ってスライド可能に支持している。
【００４７】
筋付けブレード304はブレードプレート303に設置されており、筋付け溝306と係合してシート２に筋付けするようになっている。筋付けブレード304により筋付けされたシート２の断面を図10に示す。シート２は筋付けブレード304により筋付部２ａが形成される。
【００４８】
押圧バネ302ａ〜302ｃは可動プレート301とブレードプレート303との間に設置されている。可動プレート301はシャフトガイド307ａ，307ｂに支えられている。図３に示すカム282により図９に示すように可動プレート301を押し下げる。これにより押圧バネ302ａ〜302ｃの伸長力によりブレードプレート303を押し下げ、筋付けブレード304が筋付け溝306と係合する。これにより搬送パス312内にあるシート２に穴を開けることができる。
【００４９】
リリースバネ308ａ，308ｂは押し下げられたブレードプレート303を押し上げるバネである。ブレードプレート303の上死点はストッパ309ａ，309ｂに当接した位置であり、可動プレート301の上死点はストッパ310ａ，310ｂに当接した位置となっている。
【００５０】
筋付けブレード304は筋付け溝306に係合したときにはシート幅方向全域に均等に力がかかるようになっている。このため、筋付けに必要な力は図６に示すパンチ刃224ａ〜224ｃにより順番にシート２を穿孔する場合に比べて大きな力が必要である。
【００５１】
筋付けユニット300には、該筋付けユニット300の種類を識別するための記憶手段となるＩＣチップ311の記憶部に種別情報が書き込まれて記憶されている。パンチャ200のユニット識別センサ222により筋付けユニット300の種別情報を読み取り、加工処理部８に搭載されている筋付けユニット300を識別できる。
【００５２】
＜穿孔駆動部＞
図３の押圧駆動ユニット280は、穿孔ユニット220の可動プレート223の上面、或いは、筋付けユニット300の可動プレート301の上面を押し下げるカム282を有する。更に、カムシャフト281、該カムシャフト281を回転させるカム駆動モータＭ１が備えられている。カムシャフト281の軸中心に対してカム282が偏心しており、各可動プレート223，301の上面を押し下げる位置と押し下げない位置とを回動可能になっている。
【００５３】
＜横レジ斜行補正ユニット＞
シート２の姿勢制御は図３に示すシート端検知センサ213、横レジ検知センサ241、横レジ斜行補正ユニット250で行われる。シート端検知センサ213はシート２の搬送方向の位置を検知し、横レジ斜行補正ユニット250の駆動タイミングをとるために設けられる。横レジ検知センサ241はパンチャ200のシートセンターに対して搬送されるシート２の幅方向の位置がどのくらいずれているかを検知するために設けられる。
【００５４】
図11は横レジ斜行補正ユニット250をシート搬送方向下流から見た図である。上ガイド257及び下ガイド258により搬送パス266が形成され、搬送パス266のシート２を搬送するアクティブローラ251ａ，251ｂ及び従動ローラ252ａ，252ｂがそれぞれ配置されている。アクティブローラ251ａ，251ｂは、それぞれアクティブローラ駆動モータＭ２，Ｍ３からギア256ａ，256ｂ，255ａ，255ｂ、ローラシャフト254ａ，254ｂを介してそれぞれ回転駆動される。
【００５５】
斜行検知センサ253ａ，253ｂは搬送されるシート２の先端を検知してその検知タイミングの差から斜行量を割り出す。この斜行量をキャンセルするようにアクティブローラ251ａ，251ｂに回転速度差をつけることでシート２の斜行補正を行う。アクティブローラ251ａ，251ｂは搬送ローラ211により搬送されたシート２の斜行を補正するシート斜行補正手段として構成される。
【００５６】
アクティブローラ251ａ，251ｂ及び斜行検知センサ253ａ，253ｂはシフト部267に搭載される。シフト部267には軸受部261ａ，261ｂが備えられており、パンチャ200の前側板260及び後側板259に支持されたシャフト268に沿って図11の左右方向に移動してシフト可能に支持されている。
【００５７】
シフト部267はプーリ264，265により回転可能に張架されたタイミングベルト263の一部に連結部262を介して連結されている。シフト駆動モータＭ４によって回転駆動するプーリ264を介してタイミングベルト263が回転移動し、タイミングベルト263の図11の左右方向の移動に伴ってシフト部267が図11の左右方向に移動してシフトする。
【００５８】
＜穿孔モード動作＞
次に図12〜図15に示すフローチャートを用いてシート２の穿孔モードの動作について説明する。図12のステップＳ１において、ユーザにより操作部601で穿孔処理モードが選択されると、穿孔ユニット220をパンチャ200に挿入するように表示される（ステップＳ２）。
【００５９】
ユーザがパンチャ200に穿孔ユニット220を挿入する（ステップＳ３）。すると、ユニット識別センサ222によりパンチャ200に搭載されている加工処理ユニットが穿孔ユニット220であるか、或いは、筋付けユニット300であるかの種別を識別する（ステップＳ４）。
【００６０】
そして、選択した加工処理モードと穿孔ユニット220の種別の確認を行い（ステップＳ５）、間違っていれば種別交換表示が表示される（ステップＳ６）。そして、選択した加工処理モードに合致した加工処理ユニットが挿入されるまでステップＳ３〜ステップＳ６を繰り返す。
【００６１】
前記ステップＳ５において、選択した加工処理モードに合致した加工処理ユニットが挿入されたと判断した場合には、ステップＳ７に進んでモード詳細入力表示が表示される（ステップＳ７）。ステップＳ７において、穿孔モードが選択されている場合には、図13に示すステップＳ８に進んで、シートサイズ、枚数、シートの種類を選択し、穿孔位置を入力して（ステップＳ９）、コピースタートする（ステップＳ10）と、プリントが開始される。
【００６２】
次に搬送モータＭ６が回転駆動し、搬送ローラ202，208〜211が回転する（ステップＳ11）。
【００６３】
シート２が画像形成装置本体600の排出口９からパンチャ200へ受け渡されると、入口センサ201がＯＮする（ステップＳ12）。そして、搬送されたシート２の先端がシート端検知センサ213で検知されると（ステップＳ13）、アクティブローラ251及び従動ローラ252がアクティブローラ駆動モータＭ２，Ｍ３により回転駆動される（ステップＳ14）。
【００６４】
シート２がアクティブローラ251と従動ローラ252とに挟持される。そして、斜行検知センサ253ａ，253ｂによりシート２が検知されると（ステップＳ15）、図示しないソレノイドにより従動ローラ211ｂが駆動ローラ211ａから退避されてシート２のニップが解除される（ステップＳ16）。
【００６５】
斜行検知センサ253ａ，253ｂの検知時間差によってシート２の斜行量が演算される（ステップＳ17）。そして、シート２の斜行をキャンセルするようにアクティブローラ251ａ，251ｂの搬送速度を所定時間だけ個別に変更してシート２の斜行を補正する（ステップＳ18）。
【００６６】
シート２の斜行が補正されると、アクティブローラ251ａ，251ｂを同じ搬送速度に変更する（ステップＳ19）。そして、横レジ検知センサ241によりシート２の側端位置を検知する（ステップＳ20）。そして、シートセンターに対してシート２の横レジズレ量を測定してシフト駆動モータＭ４を回転駆動させてシフト部267を所定の移動速度Ｖ１で移動させてシート２の横レジズレを補正する（ステップＳ21，Ｓ22）。
【００６７】
これで、シート幅方向のパンチ穴位置が正しい位置に開くようにシート位置が補正される。シート２の後端がシート端検知センサ213により検知され（ステップＳ23）、シート２が所定量搬送されると、アクティブローラ251と従動ローラ252を停止する（ステップＳ24）。また、搬送ローラ208〜211も停止する（ステップＳ25）。これによりシート搬送方向のパンチ穴位置を決定する。そして、カム駆動モータＭ１を所定の穿孔速度Ｖ３で一回転駆動させてシート２に穿孔処理を行う（ステップＳ26，Ｓ27）。
【００６８】
その後、搬送モータＭ７を回転駆動して搬送ローラ206，214〜216を回転し（ステップＳ28）、アクティブローラ251を回転させる（ステップＳ29）。そして、穿孔ユニット220により穿孔したシート２をパンチャ200からフィニッシャ100へと受け渡す。
【００６９】
パンチャ200の機外へのシート２の排出完了は排出センサ207により検知される（ステップＳ31，Ｓ32）。そして、図示しないソレノイドにより退避させていた従動ローラ211ｂを駆動ローラ211ａに圧接するニップ位置に戻す（ステップＳ33）。そして、アクティブローラ251を停止させ（ステップＳ33）、搬送モータＭ７を停止させて搬送ローラ206，214〜216の回転を停止する（ステップＳ34）。
【００７０】
ステップＳ35において、最終シート２か否かを判断し、最終シート２でない場合は、前記ステップＳ11〜Ｓ35を繰り返す。前記ステップＳ35において、最終シート２の場合はジョブ（ＪＯＢ）を完了する。
【００７１】
＜筋付けモード動作の説明＞
次に図14に示すフローチャートを用いてシート２の筋付けモードの動作について説明する。尚、前記図12に示すステップＳ１〜Ｓ７については、前述と同様であるため重複する説明は省略し、図14に示すステップＳ51から説明する。図12に示すステップＳ１において、ユーザにより操作部601で筋付けモードが選択されると、前記ステップＳ２〜Ｓ７と同様にして、ステップＳ７において、モード詳細入力表示が表示される。
【００７２】
次に図14に示すステップＳ51に進んで、シートサイズ、枚数、シートの種類を選択し、筋付け位置を入力して（ステップＳ52）、コピースタートすると（ステップＳ53）、プリントが開始される。そして、搬送モータＭ６が回転駆動し、搬送ローラ202，208〜211が回転する（ステップＳ54）。
【００７３】
シート２が画像形成装置本体600の排出口９からパンチャ200へ受け渡されると、入口センサ201がＯＮする（ステップＳ55）。
【００７４】
そして、搬送ローラ208〜210により搬送されたシート２の先端がシート端検知センサ213により検知される（ステップＳ56）。すると、アクティブローラ251及び従動ローラ252がアクティブローラ駆動モータＭ２，Ｍ３により回転する（ステップＳ57）。
【００７５】
シート２がアクティブローラ251と従動ローラ252とにより挟持搬送され、斜行検知センサ253ａ，253ｂにより検知される（ステップＳ58）。すると、図示しないソレノイドにより従動ローラ211ｂが駆動ローラ211ａから退避してニップが解除される（ステップＳ59）。
【００７６】
斜行検知センサ253ａ，253ｂの検知時間差によってシート２の斜行量が演算される（ステップＳ60）。そして、シート２の斜行をキャンセルするようにアクティブローラ251ａ，251ｂの搬送速度を所定時間だけ個別に変更してシート２の斜行を補正する（ステップＳ61）。
【００７７】
シート２の斜行が補正されると、アクティブローラ251ａ，251ｂを同じ搬送速度に変更する（ステップＳ62）。そして、横レジ検知センサ241によりシート２の側端位置を検知する（ステップＳ63）。そして、シートセンターに対してシート２の横レジズレ量を測定してシフト駆動モータＭ４を回転駆動させてシフト部267を穿孔モードの場合よりも速い所定の移動速度Ｖ２で移動させる。これによりシート２の横レジズレを補正する（ステップＳ64，Ｓ65）。
【００７８】
制御手段となるパンチャ制御部638は、シート処理手段となる穿孔ユニット220と、筋付けユニット300の種類に対応して横レジ斜行補正ユニット250の動作を変更する。
【００７９】
穿孔モード時の移動速度Ｖ１よりも速い移動速度Ｖ２（＞Ｖ１）でシフト部267を移動することで横レジ補正処理時間を短くしている。筋付け処理はシート幅方向全域に伸びた筋付けブレード304と筋付け溝306とで行うので、シート幅方向の位置精度がずれていても構わず、シフト部267の移動速度Ｖ２を速くして位置精度を低下させる代わりに横レジ補正処理時間を短くすることができる。
【００８０】
シート２の後端がシート端検知センサ213で検知され（ステップＳ66）、シート２が所定量搬送されると、アクティブローラ251を停止する（ステップＳ67）。また、搬送ローラ208〜211も停止する（ステップＳ68）。これによりシート搬送方向の筋付け位置を決定する。そして、カム駆動モータＭ１を穿孔速度Ｖ３よりも遅い所定の筋付け速度Ｖ４（＜Ｖ３）で一回転駆動させて筋付け処理を行う（ステップＳ69，Ｓ70）。
【００８１】
筋付け速度Ｖ４を穿孔速度Ｖ３よりも遅くするのは、筋付け処理は穿孔処理に比べて大きな力が必要なためカム駆動モータＭ１の回転速度を下げてトルクを上げるためである。このため筋付け処理時間が長くなるが前述のように横レジ補正処理時間を短くすることでトータルの処理時間が長くならないようにしている。
【００８２】
その後、搬送モータＭ７を回転駆動させて搬送ローラ206，214〜216を回転駆動し（ステップＳ71）、アクティブローラ251を回転させて（ステップＳ72）、シート２をパンチャ200からフィニッシャ100へと受け渡す。パンチャ200の外への排出完了は排出センサ207により検知される（ステップＳ73，Ｓ74）。
【００８３】
そして、図示しないソレノイドをＯＦＦして退避していた従動ローラ211ｂを駆動ローラ211ａに圧接するニップ位置に戻す（ステップＳ75）。そして、アクティブローラ251を停止し（ステップＳ76）、搬送モータＭ７を停止させて搬送ローラ206，214〜216を停止する（ステップＳ77）。
【００８４】
ステップＳ78において、最終シート２か否かを判断し、最終シート２でない場合は、前記ステップＳ54〜Ｓ78を繰り返す。前記ステップＳ78において、最終シート２の場合はジョブ（ＪＯＢ）を完了する。
【００８５】
また、筋付け処理の場合、画像形成装置本体600の排出口９から排出されるシート２の横レジずれに対してパンチャ200の搬送パスのシート幅方向における余裕が大きい装置がある。その場合は、図15に示すように、前記図14のステップＳ63における横レジ検知センサ241によるシート２の側端位置の検知と、ステップＳ64，Ｓ65におけるシフト部267の移動によるシート２の横レジズレの補正を省略しても良い。
【００８６】
このとき、パンチャ制御部638は、シート処理手段となる穿孔ユニット220、筋付けユニット300の種類に対応してシート横レジ補正手段となる横レジ斜行補正ユニット250を作動させるか否かを制御する。
【００８７】
パンチャ制御部638は、シート処理手段が穿孔ユニット220の場合は横レジ斜行補正ユニット250を作動させる。一方、シート処理手段が筋付けユニット300の場合は横レジ斜行補正ユニット250を作動させない。
【００８８】
＜その他の加工処理ユニット＞
穿孔処理、筋付け処理の他にもシート２にミシン目付けをするミシン目付け手段となるミシン目付けユニット400、シート２を断裁する断裁手段となる断裁ユニット500、シート２に刻印をする刻印手段となる刻印ユニット800等がある。
【００８９】
詳細については後述するが、ミシン目付け、断裁は、シート幅方向全域に処理をするため処理時間がかかるが、シート幅方向の横レジ合わせが粗くても良い。
【００９０】
前述したように横レジを合わせなくても良いこともある。このため、筋付け処理のように横レジ補正時間を短くする制御を行うことが可能である。これに対して刻印は、シート２の幅方向の刻印位置をシート２毎に合わせる必要がある。しかし、シート２の一部領域にのみ処理を施すので処理力が小さく、処理時間も短い。
【００９１】
このため、穿孔処理のように横レジ補正を精度良く行う制御とする必要がある。従って、加工処理モードの説明においては穿孔処理、筋付け処理を例に挙げて述べてきたが、穿孔処理に代えて刻印処理、筋付け処理に代えてミシン目付け処理、断裁処理とすることもできる。
【００９２】
以下に図16〜図18を用いてミシン目付けユニット400、断裁ユニット500、刻印ユニット800の構成について説明する。
【００９３】
＜ミシン目付けユニット＞
図16はミシン目付けユニット400をシート搬送方向下流から見たときの断面説明図である。シャフトガイド407ａ，407ｂがダイプレート405に立設されており、可動プレート401、ブレードプレート403をシャフトガイド407ａ，407ｂに沿ってスライド可能に支持している。
【００９４】
ミシン目付け刃404はブレードプレート403に設置されており、固いゴム状の弾性体のまな板406と係合してシート２にミシン目付けするようになっている。押圧バネ402ａ〜402ｃが可動プレート401とブレードプレート403との間に設置されている。図３に示すカム282により可動プレート401を押し下げることで押圧バネ402ａ〜402ｃの伸長力によりブレードプレート403を押し下げる。これによりミシン目付け刃404が、まな板406に食い込むようになっている。
【００９５】
リリースバネ408ａ，408ｂは押し下げられたブレードプレート403を押し上げるバネである。ブレードプレート403の上死点はストッパ409ａ，409ｂに当接した位置であり、可動プレート401の上死点はストッパ410ａ，410ｂに当接した位置となっている。ミシン目付け刃404は、まな板406と係合したときにはシート幅方向全域に均等に力がかかるようになっている。
【００９６】
このため、ミシン目付けに必要な力は図６に示すパンチ刃224ａ〜224ｃにより順番にシート２を穿孔する場合に比べて大きな力が必要である。ミシン目付けユニット400には、該ミシン目付けユニット400の種類を識別するための記憶手段となるＩＣチップ411の記憶部に種別情報が書き込まれて記憶されている。パンチャ200のユニット識別センサ222により種別情報を読み取り、ミシン目付けユニット400が搭載されていることを識別できる。
【００９７】
＜断裁ユニット＞
図17は断裁ユニット500をシート搬送方向下流から見たときの断面図である。可動プレート523に断裁上刃524が取り付けられている。ダイプレート525には断裁下刃526が取り付けられており、断裁上刃524が係合してシート２をはさみ切りするようになっている。ダイプレート525と搬送ガイド527とはスペーサ531ａ，531ｂを介して離間され搬送パス532を形成する位置関係となっている。
【００９８】
可動プレート523はシャフトガイド528ａ，528ｂに支えられており、図３に示すカム282により可動プレート523を押し下げることで断裁上刃524が断裁下刃526に係合して搬送パス532内にあるシート２を断裁することができる。リリースバネ530ａ，530ｂは押し下げられた可動プレート523を押し上げるバネであり、可動プレート523の上死点はストッパ529ａ，529ｂに当接した位置となっている。
【００９９】
断裁上刃524の刃先は断裁下刃526に対してシート幅方向で徐々に係合するようになっており、シート２を少しずつ断裁するようになっている。シート幅方向全域を徐々に断裁するので、前述した穿孔処理に対して処理時間が長くなる。
【０１００】
断裁ユニット500には該断裁ユニット500の種類を識別するための記憶手段となるＩＣチップ521に設けられた記憶部に種別情報が書き込まれて記憶されている。パンチャ200のユニット識別センサ222により種別情報を読み取り、断裁ユニット500が加工処理部８に搭載されていることを識別できる。
【０１０１】
＜刻印ユニット＞
図18は刻印ユニット800をシート搬送方向下流から見たときの断面図である。シャフトガイド807ａ，807ｂがダイプレート805に立設されており、可動プレート801及びブレードプレート803をシャフトガイド807ａ，807ｂに沿ってスライド可能に支持している。
【０１０２】
刻印型804はブレードプレート803に設置されており、固いゴム状の弾性体のまな板806と係合してシート２に刻印するようになっている。押圧バネ802ａ〜802ｃが可動プレート801とブレードプレート803との間に設置されている。図３に示すカム282により可動プレート801を押し下げる。これにより押圧バネ802ａ〜802ｃの伸長力によりブレードプレート803を押し下げ、刻印型804が、まな板806に食い込むようになっている。これにより搬送パス812内にあるシート２に刻印することができる。
【０１０３】
リリースバネ808ａ，808ｂは押し下げられたブレードプレート803を押し上げるバネである。ブレードプレート803の上死点はストッパ809ａ，809ｂに当接した位置であり、可動プレート801の上死点はストッパ810ａ，810ｂに当接した位置となっている。刻印型804は、まな板806に係合するときには刻印型804の部位にのみ力がかかるようになっている。
【０１０４】
このため、シート幅全域に処理を施す、筋付け処理、ミシン目付け処理、断裁処理ほどは大きな力は必要ない。刻印ユニット800には刻印ユニット800の種類を識別するための記憶手段となるＩＣチップ811に設けられた記憶部に種別情報が書き込まれて記憶されている。パンチャ200のユニット識別センサ222により種別情報を読み取り、刻印ユニット800が加工処理部８に搭載されていることを識別できる。
【０１０５】
前述したように、制御手段となるパンチャ制御部638は以下の制御を行なう。パンチャ200の加工処理部８に装着されるシート処理手段として穿孔ユニット220、筋付けユニット300、ミシン目付けユニット400、断裁ユニット500、刻印ユニット800がある。これらの種類に対応して横レジ斜行補正ユニット250を作動させるか否かを制御する。
【０１０６】
例えば、パンチャ200の加工処理部８に装着されるシート処理手段が、穿孔手段となる穿孔ユニット220の場合は、横レジ斜行補正ユニット250を作動させる。そして、パンチャ200の加工処理部８に装着されるシート処理手段が筋付け手段となる筋付けユニット300の場合は、横レジ斜行補正ユニット250を作動させない。
【０１０７】
パンチャ制御部638は、シート処理手段が穿孔ユニット220または刻印ユニット800の場合は横レジ斜行補正ユニット250を作動させる。一方、シート処理手段が穿孔ユニット220及び刻印ユニット800以外（穿孔手段及び刻印手段以外）の筋付けユニット300、ミシン目付けユニット400、断裁ユニット500の場合は横レジ斜行補正ユニット250を作動させないことも出来る。
【０１０８】
或いは、パンチャ制御部638は、シート処理手段が穿孔ユニット220または刻印ユニット800の場合の穿孔速度や刻印速度よりも以下の各処理速度を遅く設定することも出来る。即ち、シート処理手段が穿孔ユニット220及び刻印ユニット800以外の筋付けユニット300、ミシン目付けユニット400、断裁ユニット500の場合の筋付け速度やミシン目付け速度や断裁速度等の各処理速度を遅く設定することも出来る。
【０１０９】
或いは、パンチャ制御部638は、シート処理手段が穿孔ユニット220または刻印ユニット800の場合の横レジ斜行補正ユニット250の移動速度よりも以下の移動速度を速く設定することも出来る。即ち、シート処理手段が穿孔ユニット220及び刻印ユニット800以外の筋付けユニット300、ミシン目付けユニット400、断裁ユニット500の場合の横レジ斜行補正ユニット250の移動速度を速く設定することも出来る。
【０１１０】
本実施形態の押圧駆動ユニット280は、穿孔ユニット220を動作させる。そしてシート処理手段となる穿孔ユニット220、刻印ユニット800、筋付けユニット300、ミシン目付けユニット400、断裁ユニット500をそれぞれ駆動する共通の駆動手段として構成される。
【符号の説明】
【０１１１】
２    …シート
211   …搬送ローラ（シート搬送手段）
220   …穿孔ユニット（シート処理手段；穿孔手段）
250   …横レジ斜行補正ユニット（シート横レジ補正手段）
251，251ａ，251ｂ …アクティブローラ（シート斜行補正手段）
280   …押圧駆動ユニット（駆動手段）
300   …筋付けユニット（シート処理手段；筋付け手段）
400   …ミシン目付けユニット（シート処理手段）
500   …断裁ユニット（シート処理手段）
638   …パンチャ制御部（制御手段）
800   …刻印ユニット（シート処理手段）
【図１】
2015124013.tif 000003
【図２】
2015124013.tif 000004
【図３】
2015124013.tif 000005
【図４】
2015124013.tif 000006
【図５】
2015124013.tif 000007
【図６】
2015124013.tif 000008
【図７】
2015124013.tif 000009
【図８】
2015124013.tif 000010
【図９】
2015124013.tif 000011
【図１０】
2015124013.tif 000012
【図１１】
2015124013.tif 000013
【図１２】
2015124013.tif 000014
【図１３】
2015124013.tif 000015
【図１４】
2015124013.tif 000016
【図１５】
2015124013.tif 000017
【図１６】
2015124013.tif 000018
【図１７】
2015124013.tif 000019
【図１８】
2015124013.tif 000020